(57)【特許請求の範囲】
【請求項１】
仕掛け本体とフックとを本体取付環とスプリットリングとフック取付環とを介して連結する釣り用仕掛けの前記仕掛け本体に対する前記フックの相対的な揺動を固定する固定具であって、
前記固定具は、
前記本体取付環と前記スプリットリングと前記フック取付環とを少なくとも覆う1本のゴム性のチューブと、
前記チューブの一方端側からチューブ軸方向の途中まで形成された少なくとも１本の切れ込みと、
前記チューブの外側に前記チューブの長手方向に移動自在に嵌装され、前記本体取付環と前記スプリットリングとの連結部及び前記スプリットリングと前記フック取付環との連結部を締め付ける少なくとも２個のゴム性のリング部材と、を備えたことを特徴とする釣り用仕掛けの固定具。
【請求項２】
前記ゴム性のチューブ及びリング部材は、０．５〜２ｍｍの厚みのウレタンゴム又はシリコーンゴムである請求項１に記載の釣り用仕掛けの固定具。
【請求項３】
前記リング部材を３個設け、２個のリング部材で前記本体取付環と前記スプリットリングとの連結部及び前記スプリットリングと前記フック取付環との連結部を締め付けるとともに、残りの１個のリング部材で前記フックの針の向きを固定する請求項１又は２に記載の釣り用仕掛けの固定具。
【請求項４】
前記切れ込み長さは前記チューブの長さの１／３〜１／２の範囲である請求項１〜３の何れか１項に記載の釣り用仕掛けの固定具。
【請求項５】
前記切れ込みが２本〜４本形成されている請求項１〜４のいずれか１項に記載の釣り用仕掛けの固定具。
【請求項６】
前記釣り用仕掛けはルアー、エギ、イカ角、ひとつテンヤ、鯛カブラの何れかである請求項１〜５の何れか１項に記載の釣り用仕掛けの固定具。
【請求項７】
仕掛け本体とフックとを本体取付環とスプリットリングとフック取付環とを介して連結するとともに、前記仕掛け本体に対する前記フックの相対的な揺動を固定する固定具を着脱自在に設けた釣り用仕掛けであって、
前記固定具は、
前記仕掛け本体と前記フックとの間において、前記本体取付環と前記スプリットリングと前記フック取付環とを少なくとも覆う1本のゴム性のチューブと、
前記チューブの一方端側からチューブ軸方向の途中まで形成された少なくとも１本の切れ込みと、
前記チューブの外側に前記チューブの長手方向に移動自在に嵌装され、前記本体取付環と前記スプリットリングとの連結部及び前記スプリットリングと前記フック取付環との連結部を締め付ける少なくとも２個のゴム性のリング部材と、を備えたことを特徴とする釣り用仕掛け。
【請求項８】
前記仕掛け本体には、該仕掛け本体が水の抵抗を利用して移動するための翼を備えている請求項７に記載の釣り用仕掛け。
【発明の詳細な説明】
【技術分野】
【０００１】
本発明は釣り用仕掛けの固定具及びその固定具を備えた釣り用仕掛けに関する。
【背景技術】
【０００２】
釣り用仕掛けの代表としてルアーが良く知られており、釣り糸を接続するルアー本体の本体取付環（ルアーアイ）にスプリットリング(ルアーアイとフックアイとの連結に使用する螺旋状に巻回された金属製リング)を介して釣り針であるフックのフック取付環(フックアイ）に取り付けているものが多い（例えば特許文献１）。
【０００３】
このようにルアー本体にスプリットリングを介してフックを取り付ける場合、ルアー本体に対するフックの相対的な揺動(例えば縦方向又は横方向への振れ動作又は全方位への暴れ動作)が大きくなるため次のような問題が生じやすい。
（１）ルアーをキャスト（投げる）する時やフォール（落ちる）する時に、ルアー本体の後端部に取り付けられたフックがリーダ（釣り糸）に絡み易い(以下、「糸絡み問題」という)。特に、ルアーをキャストした時にルアーの重心と、釣り糸とルアーの接続部と、フックとの位置関係によって、フックと釣り糸が空中で近接する場合では糸絡みの問題が多く発生する。
（２）魚が横からルアー本体に食いついた瞬間（当たり）には、フックが魚と反対側に振られてしまい魚がフックに針掛かりしない場合がある(以下、「針掛かりしない問題」という)。
（３）また、魚がフックに針掛かりした場合でも、魚が首を振って抵抗している間にルアー本体がフック方向に振れてフックと重なった瞬間にルアー本体の遠心力でフックが魚から抜け落ちる、いわゆる「ばらし」が発生し易い(以下、「ばらし問題」という)。
【先行技術文献】
【特許文献】
【０００４】
【特許文献１】特開２０１２−１２５１８２号公報
【発明の概要】
【発明が解決しようとする課題】
【０００５】
上記の問題点に対する対策として、ルアー本体の重心を後側にして、キャストするときにルアー本体が後ろ向きに飛ぶようにしたり、ルアーアイをルアー本体の最後部に設けないで、最後部下側に設けてフックがルアー本体の上側に振れないようにしたりするものもある。
【０００６】
しかし、これらの方法は、上記した「糸絡み問題」は解決できるかもしれないが、フックがルアー本体の横方向に振れることは抑制できないので、上記した「針掛かりしない問題」や「ばらし問題」は依然として解決できない。
【０００７】
別の対策として、固定具としてゴム製のチューブを用い、ルアーアイ、スプリットリング、フックアイを覆うように装着することで、ルアー本体に対してフックが揺動することを防止することが考えられる。
【０００８】
しかしながら、ルアーアイ、スプリットリング、フックアイを覆うチューブを装着する方法は、フックの軸の長さによって使用できるチューブの長さが制限されるという欠点がある。
【０００９】
また、大型魚のルアーの場合には強度の大きな大径なスプリットリングが使用されるため、細いチューブではスプリットリングが通らないという欠点がある。
【００１０】
逆に、スプリットリングの径に合わせた大径のチューブでは緩過ぎてしまい、例えばルアーをキャストしたときにチューブがずれるので揺動を防止する効果が小さいという問題がある。この場合、熱収縮性のチューブを用いて、ルアーアイ、スプリットリング、フックアイに通した太いチューブを熱収縮させて圧着させることで上記したチューブの緩過ぎを解消することも考えられる。
【００１１】
しかし、熱収縮させたチューブは、フックを交換するときにカッター等で切除しなくてはならず、またフックを取り付けるたびにチューブを火であぶって熱収縮させなくてはならず面倒で手間がかかるとともに、チューブを再使用できないという欠点がある。
【００１２】
上記したチューブに関する欠点はルアーだけの問題ではなく、釣り用仕掛けがエギ、イカ角、ひとつテンヤ、鯛カブラ等の場合にも同様である。
【００１３】
本発明はこのような事情に鑑みてなされたもので、固定具によって、仕掛け本体に対してフックが相対的に揺動しないようにできるとともに、固定具を容易且つ迅速に取り付けることができるので、フックの交換を容易に行うことができ、しかも固定具を再使用することができる釣り用仕掛けの固定具、及びその固定具を備えた釣り用仕掛けを提供することを目的とする。
【課題を解決するための手段】
【００１４】
本発明の釣り用仕掛けの固定具は上記目的を達成するために、仕掛け本体とフックとを本体取付環とスプリットリングとフック取付環とを介して連結する釣り用仕掛けの前記仕掛け本体に対する前記フックの相対的な揺動を固定する固定具であって、前記固定具は、前記本体取付環と前記スプリットリングと前記フック取付環とを少なくとも覆う1本のゴム性のチューブと、前記チューブの一方端側からチューブ軸方向の途中まで形成された少なくとも１本の切れ込みと、前記チューブの外側に前記チューブの長手方向に移動自在に嵌装され、前記本体取付環と前記スプリットリングとの連結部及び前記スプリットリングと前記フック取付環との連結部を締め付ける少なくとも２個のゴム性のリング部材と、を備えたことを特徴とする。
【００１５】
ここで、仕掛け本体に対するフックの相対的な揺動とは、仕掛け本体から見てフックが揺動する場合と、フックから見て仕掛け本体が揺動する場合との両方を含む。また、ゴム性とは、力を加えない状態では変形しない程度の硬さを有するが、力を加えると伸縮したり変形したりし、その力を除くとすぐに元の形状に戻る性質をいう。
【００１６】
本発明の釣り用仕掛けの固定具によれば、固定具を上記の如く構成したので、仕掛け本体に対するフックの相対的な揺動を確実に抑制することができ、しかも次に述べるように、固定具を容易且つ迅速に取り付けることができる。
【００１７】
即ち、固定具の構成要素であるチューブの切れ込みのない側をフックの軸に通した後、チューブの切れ込みを開いてフック取付環を露出させる。次に、スプリットリングを介して仕掛け本体の本体取付環とフック取付環とを連結する。その後、切れ込みを開いたチューブを元に戻してスプリットリングと本体取付環とを覆う。そして、２個のリング部材をチューブの長手方向に移動させて、本体取付環とスプリットリングとの連結部及びスプリットリングとフック取付環との連結部を締め付ける。
【００１８】
これにより、固定具によって仕掛け本体に対してフックが相対的に揺動しないようにできるとともに、固定具を容易且つ迅速に取り付けることができるので、フックの交換を容易に行うことができ、しかも固定具を再使用することができる。
【００１９】
そして、本発明の釣り用仕掛けの固定具を使用すれば、従来の「糸絡み問題」、「針掛かりしない問題」、「ばらし問題」の全てを解決できる。
【００２０】
本発明の釣り用仕掛けの固定具において、前記ゴム性のチューブ及びリング部材は、０．５〜２ｍｍの厚みのウレタンゴム又はシリコーンゴムであることが好ましい。
【００２１】
０．５〜２ｍｍの厚みのウレタンゴム又はシリコーンゴムは、仕掛け本体とフックとの間に、仕掛け本体に対するフックの相対的な揺動を抑制する固定具として、適度な伸縮性や硬さを備えているからである。
【００２２】
本発明の釣り用仕掛けの固定具において、前記リング部材を３個設け、２個のリング部材で前記本体取付環と前記スプリットリングとの連結部及び前記スプリットリングと前記フック取付環との連結部を締め付けるとともに、残りの１個のリング部材で前記フックの針の向きを固定することが好ましい。
【００２３】
例えばフックが１本針のシングルフックである場合、フックの針先が仕掛け本体の上側部（ルアー本体では背側）方向、即ち上向きになることが好ましい。したがって、リング部材を３個設けることによって、２個のリング部材で本体取付環とスプリットリングとの連結部及びスプリットリングとフック取付環との連結部を締め付ける。そして、残りの１個のリング部材でフックを上向き状態でチューブを介してフックの軸を締め付ける。これにより、シングルフックの針先を上向きに固定することができる。
【００２４】
本発明の釣り用仕掛けの固定具において、前記切れ込み長さはチューブの長さの１／３〜１／２の範囲で形成されることが好ましい。
【００２５】
チューブの切れ込みがチューブの長さの１／３を下回って短すぎると、チューブの切れ込みを開いたときにフック取付環を露出させにくくなる。また、切れ込みがチューブの長さの１／２を超えて長すぎると、チューブの強度が弱くなり破損し易くなる。
【００２６】
本発明の釣り用仕掛けにおいて、前記本体取付環が前記仕掛け本体の後端部に設けられていることが好ましい。
【００２７】
このように、本体取付環が仕掛け本体の後端部に設けられている場合に、上記した「糸絡み問題」が発生し易く、本発明の作用効果が一層発揮されるからである。
【００２８】
また、チューブの切れ込みは、２本〜４本であることが好ましい。切れ込みが１本では、切れ込み部分でチューブ２６を大きく開くことが難しく、大径なスプリットリングに対応しにくいからである。また、切れ込みが５本以上では、チューブの強度が弱くなるからである。
【００２９】
本発明の釣り用仕掛けの固定具において、上記した固定具は釣り用仕掛けがルアーである場合に特に好適に使用できるが、その他にも釣り用仕掛けがエギ、イカ角、ひとつテンヤ、鯛カブラの場合にも使用することができる。
【００３０】
本発明の釣り用仕掛けは上記目的を達成するために、仕掛け本体とフックとを本体取付環とスプリットリングとフック取付環とを介して連結するとともに、前記仕掛け本体に対する前記フックの相対的な揺動を固定する固定具を着脱自在に設けた釣り用仕掛けであって、前記固定具は、前記仕掛け本体と前記フックとの間において、前記本体取付環と前記スプリットリングと前記フック取付環とを少なくとも覆う1本のゴム性のチューブと、前記チューブの一方端側からチューブ軸方向の途中まで形成された少なくとも１本の切れ込みと、前記チューブの外側に前記チューブの長手方向に移動自在に嵌装され、前記本体取付環と前記スプリットリングとの連結部及び前記スプリットリングと前記フック取付環との連結部を締め付ける少なくとも２個のゴム性のリング部材と、を備えたことを特徴とする。
【００３１】
本発明の釣り用仕掛けによれば、固定具を上記の如く構成したので、仕掛け本体に対してフックが相対的に揺動しないようにできるとともに、固定具を容易且つ迅速に取り付けることができるので、フックの交換を容易に行うことができ、しかも固定具を再使用することができる。
【００３２】
本発明の釣り用仕掛けにおいて、前記仕掛け本体には、該仕掛け本体が水の抵抗を利用して移動するための翼を備えていることが好ましい。
【００３３】
翼を備えた仕掛け本体は、翼のない仕掛け本体に比べて実際の魚の動きに近くなり、仕掛け本体に対してフックが更に揺動し易くなるので、本発明における固定具の効果を一層発揮するからである。
【発明の効果】
【００３４】
本発明の釣り用仕掛けの固定具及びその固定具を備えた釣り用仕掛けによれば、固定具によって、仕掛け本体に対してフックが相対的に揺動しないようにできる。また、固定具を容易且つ迅速に取り付けることができるので、フックの交換を容易に行うことができる。しかも固定具を再使用することができる。
【００３５】
また、本発明の釣り用仕掛けの固定具及びその固定具を備えた釣り用仕掛けを使用すれば、従来の「糸絡み問題」、「針掛かりしない問題」、「ばらし問題」の全てを解決できる。
【図面の簡単な説明】
【００３６】
【図１】本発明の釣り用仕掛けの全体構成図
【図２】本発明の釣り用仕掛けの別態様で翼を備えた全体構成図
【図３】本発明の釣り用仕掛けの要部拡大図
【図４】フックの種類を説明する説明図
【図５】本発明の釣り用仕掛けの固定具の斜視図
【図６】固定具の別態様で４本の切れ込みを形成した斜視図
【図７Ａ】固定具の取り付け方法の第１ステップの説明図
【図７Ｂ】固定具の取り付け方法の第２ステップの説明図
【図７Ｃ】固定具の取り付け方法の第３ステップの説明図
【図７Ｄ】固定具の取り付け方法の第４ステップの説明図
【図８】本発明の釣り用仕掛けの構成要素である３個のリング部材を備えたものの使用説明図
【発明を実施するための形態】
【００３７】
以下添付図面にしたがって、本発明に係る釣り用仕掛けの固定具及びその固定具を備えた釣り用仕掛けの好ましい実施の形態について説明する。
【００３８】
[本発明の釣り用仕掛けの全体構成]
本発明の釣り用仕掛けは、ルアー、エギ、イカ角、ひとつテンヤ、鯛カブラ等に適用できるが、本実施の形態では、釣り用仕掛けとして代表的なルアーの例で以下に説明する。
図１は、本発明の釣り用仕掛けの一般的な全体構成図であり、図１（Ａ）は側面図、図１（Ｂ）は上面図である。
【００３９】
図１に示すように、本発明の実施の形態の釣り用仕掛け（以下、「ルアー１０」という）は、釣り糸（図示せず）を接続する仕掛け本体（以下、「ルアー本体１２」という）と、釣り針であるフック１４と、ルアー本体１２とフック１４とを連結するスプリットリング１６と、ルアー本体１２とフック１４との間に設けられ、ルアー本体１２に対するフック１４の相対的な揺動を固定する固定具１８と、で構成される。
【００４０】
また、図２は、本発明の実施の形態の別態様の釣り用仕掛け（以下、「ルアー２０」という）であり、図１のルアー１０に、水の抵抗を利用して移動するための翼２２を備えた場合の全体構成図である。図２（Ａ）は側面図、図２（Ｂ）は底面図である。なお、図１と図２のルアー１０，２０の共通部分は同じ符号を付して説明する。
また、図３は、図１（Ａ）及び図２の（Ａ）のルアー１０，２０において、○で囲んだ部分の要部拡大図である。
【００４１】
ルアー本体１２は、様々な形状に形成することができるが、魚、海老、イカ等の水生生物や、虫を模した形状にすることが好ましく、魚の形状に模して形成することが最も好ましい。また、ルアー本体１２は、生物を模した形状でなくても、魚を誘引し、魚を釣ることが可能であるが、生物を模した形状のほうが、より魚を誘引して釣ることができ、生物のなかでも魚を模した形状が最も魚を誘引して釣ることが可能となる。なお、本実施の形態では、魚の形状に模したルアー本体１２の例で説明する。
【００４２】
また、ルアー本体１２は、上下動させたときに水の抵抗が少なくなる形であることが好ましい。ルアー本体１２が、上下動による水の抵抗が少ない形状であることにより、ルアー本体１２が水平に戻ろうとする力を利用して容易に水平状態を保つことができるからである。
【００４３】
このような形状として、図１（Ａ）、（Ｂ）及び図２（Ａ）、（Ｂ）に示すように、ルアー本体１２は、上方向又は下方向からの投影面積（図１（Ｂ）、図２（Ｂ）よりも横方向からの投影面積（図１（Ａ）、図２（Ａ））の方が大きい形状とすることができる。
【００４４】
これにより、ルアー本体１２を上下動させたときに水の抵抗が少なくなる形を構成することができる。特に、図２の翼２２を備えた釣り用仕掛け２０において、翼２２の働きでルアー２０が移動する際、ルアー２０を直線的に移動させるための飛行機の垂直翼のような効果を発揮させることができる。
【００４５】
ルアー本体１２を構成する材料としては、金属、樹脂等様々なものを使用することができるが、海水中でも腐食しにくく、比重の大きい材料が好ましい。このような材料としては、鉛、ステンレス、タングステン、或いは、比重の高い金属を樹脂でコートしたもの等が考えられるが、これらに限定されるものではなく、様々な特性を有する材料を組み合わせて用いても良い。
【００４６】
ルアー本体１２には、釣り糸（図示せず）を接続するための、リング状の糸接続部（ルアーアイ）２４と、スプリットリング１６を介してフック１４のフック取付環(フックアイ）１５を連結するための本体取付環１３と、が取り付けられている。
【００４７】
糸接続部２４は、ルアー本体１２に釣り糸を接続するための部分であり、アイと呼ばれる糸通しリングを用いて構成することができる。
糸接続部２４は、図１に示すように、ルアー本体１２の前端部の位置に取り付けることができる。しかし、糸接続部２４はルアー本体１２の前端部に限定するものではなく、図１及び図２に点線（記号２４Ａで示している）で示すように、釣り糸（図示せず）を接続してルアー本体１２をぶら下げたときに、ルアー本体１２の長手方向（頭から尾の方向）が水平になる位置に形成することが好ましい。
【００４８】
特に、翼２２を備えた釣り用仕掛け２０の場合には、図２の点線の位置に糸接続部２４Ａを設けることが好ましい。
釣り糸を接続してルアー本体１２をぶら下げたときルアー本体１２の長手方向が水平になる糸接続部２４Ａの位置を図２の場合で説明すると、ルアー本体１２の重心Ｇの真上の位置が考えられる。ルアー本体１２の重心Ｇの真上に糸接続部２４Ａを形成することにより、糸接続部２４Ａに釣り糸を取り付けてルアー本体１２をぶら下げると、釣り糸の延長先上に重心Ｇが来ることになる。よって、糸接続部２４Ａと重心Ｇとを結ぶ直線がルアー本体１２の長手方向と垂直になる位置に糸接続部２４Ａを形成することができる。
【００４９】
ここで、厳密には、糸接続部２４Ａに釣り糸を取り付けてぶら下げたとき、ルアー本体１２に翼２２を取り付けた状態でルアー本体１２の長手方向が略水平になることが好ましい。したがって、ルアー本体１２に翼２２とフック１４と、スプリットリング１６と、固定具１８とを取り付けた状態でルアー本体１２の長手方向が略水平になることがより好ましい。
【００５０】
しかしながら、ルアー本体１２は、鉛などの重い材料で作製するので重量が大きいのに対して、翼２２は軽い材料で作製するので重量は小さく、フック１４やスプリットリング１６や固定具１８も重量は小さい。そのため、釣り糸でぶら下げたとき、ルアー本体１２の長手方向が水平になれば（以下、ルアー本体１２の長手方向が水平になることをルアー本体１２が水平になると称する）、ルアー本体１２に上記した翼２２等の部分（フック、スプリットリング、固定具）を取り付けても、ルアー本体１２はほとんど水平な状態を維持する。したがって、ルアー本体１２に翼２２、フック１４、スプリットリング１６、固定具１８を取り付けたことによる微小な傾きも、水平の範囲と考えることができる。
【００５１】
これは、別の言い方をすれば、ルアー本体１２に翼２２、フック１４、スプリットリング１６、固定具１８を取り付けることによる重心Ｇの位置の変化はそれほどないことになる。このように、重心Ｇの位置の変化が問題にならないようなルアー本体１２の重量と、それ以外の部分との重量比は、１０以上（ルアー本体重量／それ以外の部分の重量）であることが好ましく、２０以上であることがより好ましく、２５以上であることが最も好ましい。
【００５２】
翼２２は、軽く丈夫で海水により腐食されにくい材料で作製することができるが、金属や透明な合成樹脂を用いて作製することが好ましい。翼２２に透明な合成樹脂を用いることにより、翼２２の部分が魚に気付かれにくくなるとともに、魚に違和感を与えないようにすることができる。このような合成樹脂として、ポリエチレンテレフタレート、塩化ビニル、ポリプロピレン、ポリスチレン、アクリル樹脂、ＡＳ樹脂、ＡＢＳ樹脂、ポリカーボネート、ポリ乳酸などを採用することができる。また、金属を用いる際は、薄いステンレス板か、薄いアルミ板を用いることが好ましいが、これらに限定されるものではない。
【００５３】
図２に示す翼２２は、ルアー本体１２の重心位置Ｇと、フック取付環１５との間の位置に設置される。これにより、糸接続部２４Ａに取り付けた釣り糸を、竿を使って上下させることにより、ルアー２０を前方に泳いでいるがごとくに移動させることができる。
【００５４】
また、翼２２は、ルアー本体１２の重心Ｇの位置よりも図面視において右半分（重心Ｇよりも魚形状の尾側半分）の重心Ｇｘ（以後、単に右半分の重心Ｇｘと称する場合がある）の位置にあることが好ましい。ここで翼２２が右半分の重心Ｇｘの位置にあるとは、ルアー本体１２を水平にした場合において、糸接続部２４Ａのある側を上側、その反対側を下側としたとき、翼２２が、右半分の重心Ｇｘの位置、又は、重心Ｇｘの上側、又は重心Ｇｘの下側に設置されていることを示す。
【００５５】
スプリットリング１６は、図３に示すように、二重になった金属リングであり、フック１４のフック取付環１５とルアー本体１２の本体取付環１３とを連結するのに使用される。図３に示すように、ルアー本体１２に対して縦向きに設けられた本体取付環１３に対して、スプリットリング１６が横向きに連結され、更にフック取付環１５が横向きのスプリットリング１６に対して縦向きに連結される。
【００５６】
なお、スプリットリング１６は、ルアー本体１２の上記した糸接続部２４，２４Ａと釣り糸とを繋ぐものとしても使用されるが、本実施の形態では、フック１４とルアー本体１２とを連結する部材として使用する態様で説明する。
【００５７】
ルアー１０，２０に使用されるフック１４の種類としては、図４（Ａ）〜（Ｃ）に示すように、シングルフック１４Ａ、ダブルフック１４Ｂ、トリプルフック１４Ｃの３種類に大別される。また、フック１４は、フック取付環１５と軸１７と針先１９とで構成される。そして、１本針のシングルフック１４Ａは、本体取付環１３、スプリットリング１６、フック取付環１５を上述の如く、縦向き-横向き−縦向きに連結することによって、針が上向き（針がルアー本体１２の背方向に向く）になるようにルアー本体１２に連結される。
【００５８】
次に、本発明の実施の形態の主たる特徴的な構成要素である釣り用仕掛けの固定具１８について説明する。
[本発明の釣り用仕掛けの固定具の構成]
釣り用仕掛けの固定具１８の構成を、ルアー１０，２０に取り付けた状態の上記図３と、固定具１８のみを図示した図５及び図６を用いて説明する。なお、フック１４はトリプルフック１４Ｃの例で説明するが、シングルフック１４Ａやダブルフック１４Ｂの場合も同様の固定具１８を使用することができる。
【００５９】
固定具１８は、ルアー本体１２とフック１４との間に設けられ、ルアー本体１２に対するフック１４の相対的な揺動を固定するために装着される。
図３に示すように、固定具１８は、ルアー本体１２とフック１４との間において、本体取付環１３とスプリットリング１６とフック取付環１５とを少なくとも覆う1本のゴム性のチューブ２６と、チューブ２６の一方端側からチューブ軸方向の途中まで形成された少なくとも１本の切れ込み２８と、チューブ２６の外側にチューブ長手方向に移動自在に嵌装され、本体取付環１３とスプリットリング１６との連結部及びスプリットリング１６とフック取付環１５との連結部を締め付ける少なくとも２個のゴム性のリング部材３０と、を備えて構成される。
【００６０】
チューブ２６は、フック取付環１５のリング径よりも内径が細いものが使用され、ゴム性のチューブ２６の伸縮性を利用して、チューブ２６の切れ込み２８のない部分をフック取付環１５からフック１４の軸１７まで押し込むことにより、密着状態を有して装着できるものが好ましい。
【００６１】
また、チューブ２６の長さは、本体取付環１３とスプリットリング１６とフック取付環１５とを少なくとも覆うことができる長さが必要であるが、図３に示すように、本体取付環１３の基端部（ルアー本体１２への支持部）からフック１４の軸１７までを覆う長さであることが好ましい。
【００６２】
このようなチューブ２６としては、内径が４〜８ｍｍ、長さが５〜５０ｍｍのものを好適に使用できる。
【００６３】
また、チューブ２６は、力を加えない状態では変形しない程度の硬さを有するが、力を加えると伸縮したり変形したりし、その力を除くとすぐに元の形状に戻るゴム性の性質が要求される。
【００６４】
このようなゴム性の性質を有するチューブ２６としては、天然ゴム、合成ゴムを使用することができ、合成ゴムとしては、ポリブタジエン系、ニトリル系、クロロプレン系などがある。合成ゴムの具体例としては、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレン、アクリルゴム、フッ素ゴム、シリコーンゴム、ウレタンゴム等を使用することができ、これらの中でもシリコーンゴム、ウレタンゴムが好ましい。
【００６５】
また、ゴム性の性質を効果的に発揮するチューブ２６の肉厚としては、０．５〜２ｍｍのものを好適に使用することができ、特に０．５〜２ｍｍの厚みのウレタンゴム又はシリコーンゴムが好ましい。
【００６６】
図５（Ａ）の固定具１８は、チューブ２６に２本の対向する切れ込み２８が形成され、２個のリング部材３０が設けられた場合のものであり、図５（Ｂ）の固定具１８は、チューブ２６に２本の対向する切れ込み２８が形成され、３個のリング部材３０が設けられた場合のものである。
【００６７】
また、図６（Ａ）の固定具１８は、チューブ２６に９０°間隔で４本の切れ込み２８が形成され、２個のリング部材３０が設けられた場合のものであり、図６（Ｂ）の固定具１８は、チューブ２６に９０°間隔で４本の切れ込み２８が形成され、３個のリング部材３０が設けられた場合のものである。
【００６８】
チューブ２６に形成される切れ込み２８は、少なくとも1本必要であるが、図５及び図６に示すように、２本以上であることが好ましく、２本（図５）、３本（図示せず）、４本（図６）の何れかであることが特に好ましい。後述する固定具１８の取り付けで説明するように、切れ込み２８を２本以上形成することで、切れ込み部分でチューブ２６を大きく開くことができ、大径なスプリットリング１６にも対応し易くなる。また、切れ込み２８を４本以上形成するとチューブ２６の強度が弱くなり、チューブ２６が破損し易くなる。
【００６９】
ゴム性のリング部材３０は、チューブ２６の外側にチューブ長手方向に移動自在に嵌装される。したがって、リング部材３０の内径はチューブ２６の外径に相当する。また、リング部材３０の材質として上記したチューブ２６の材質と同様のものを好適に使用でき、特に０．５〜２ｍｍの厚みのウレタンゴム又はシリコーンゴムが好ましい。
【００７０】
リング部材３０の幅は、本体取付環１３とスプリットリング１６との連結部及びスプリットリング１６とフック取付環１５との連結部を締め付けるに有効な幅であれば良い。例えば、本体取付環１３とスプリットリング１６との連結部を締め付けるリング部材３０の好適な幅としては、本体取付環１３のリング径の１／２〜１倍の範囲が好ましい。また、スプリットリング１６とフック取付環１５との連結部を締め付けるリング部材３０の好適な幅としては、フック取付環１５のリング径の１／２〜１倍の範囲が好ましい。
【００７１】
リング部材３０の数は、図５（Ａ）、図６（Ａ）に示すように、少なくとも２個必要であるが、図５（Ｂ）、図６（Ｂ）に示すように３個設けることが一層好ましい。これは、２個のリング部材３０で本体取付環１３とスプリットリング１６との連結部及びスプリットリング１６とフック取付環１５との連結部を締め付けるとともに、残りの１個のリング部材３０でフック１４の針先１９の向きを固定するためである。針先１９の向きの固定については、後述する固定具の取り付け方法において説明する。
【００７２】
また、固定具１８（チューブ２６及びリング部材３０）の色は、上記した天然ゴムや合成ゴムのゴム自体の無色の他に、緑、青、オレンジ、黄等の有色のもの、各色が混在したものを好適に使用できる。更には、蛍光色やラメ入りのものも好適に使用できる。
【００７３】
[固定具の取り付け方法]
次に、図７Ａ〜図７Ｄを用いて、固定具１８の取り付け方法を説明する。フック１４の種類はトリプルフック１４Ｃを用いた場合である。
【００７４】
先ず、図７Ａに示すように、ゴム性のチューブ２６の伸縮性を利用して、チューブ２６の切れ込み２８のない部分をフック取付環１５からフック１４の軸１７の根本近くまで押し込む（第１ステップ）。この場合、ラジオペンチ（図示せず）の爪部分をチューブ２６内に挿入して爪を開くことによりチューブ２６を押し広げてフック取付環１５に押し込むと、固定具１８をフック１４に容易に取り付けることができる。
【００７５】
次に、図７Ｂに示すように、切れ込み２８を利用してチューブ２６をラッパ管状に開いてフック取付環１５を露出させる（第２ステップ）。この場合、図７Ｂから分かるように、チューブ２６の切れ込み２８がチューブ２６の長さに対して短すぎると、チューブ２６の切れ込み２８を開いたときにフック取付環１５を露出させるまで開くことができない。また、切れ込み２８が長すぎると、チューブ２６の強度が弱くなり破損し易くなる。したがって、チューブ２６に形成する切れ込み２８の長さは、チューブ２６の長さの１／３〜１／２の範囲が好ましい。
【００７６】
次に、図７Ｃに示すように、スプリットリング１６を介してルアー本体１２の本体取付環１３とフック１４のフック取付環１５とを連結する（第３ステップ）。この場合、スプリットリング１６を予め本体取付環１３に取り付けておくと良い。
【００７７】
その後に、チューブ２６の切れ込み２８を元に戻してスプリットリング１６と本体取付環１３との連結部が覆われるように被せる。大型魚のルアー１０，２０の場合には、大径なスプリットリング１６が使用されるが、固定具１８のチューブ２６に切れ込み２８を形成したことによって、大径なスプリットリング１６にも対応することができる。
【００７８】
この場合、チューブ２６に形成した切れ込み２８が短い場合には、フック１４の軸１７の根本近くまで押し込んだチューブ２６を本体取付環１３の方向にずらして、スプリットリング１６と本体取付環１３との連結部を確実に覆うようにする。
【００７９】
あるいは、チューブ２６の長さを、ルアー本体１２への本体取付環１３の取り付け位置からフック１４の軸１７の根本までをカバーできる長さとして、切れ込み２８を長めに形成すれば、フック１４の軸１７の根本近くまで押し込んだチューブ２６を本体取付環１３の方向にずらす必要がない。
【００８０】
最後に、図７Ｄに示すように、２個のリング部材３０をチューブ２６の長手方向、即ち本体取付環１３の方向に移動させて、本体取付環１３とスプリットリング１６との連結部及びスプリットリング１６とフック取付環１５との連結部を締め付ける（第４ステップ）。
【００８１】
ここで、図７Ｄの図面視左側のリング部材３０は、図面では、切れ込み２８の手前に位置しているが、切れ込み２８を覆うように配置することが好ましい。これにより、切れ込み２８の部分をリング部材３０で締め付けて固定できるので、切れ込み２８の部分がばらけることがなくなり、かつ、確実に本体取付環１３とスプリットリング１６とをぐらつき無く固定することができる。
【００８２】
この第１ステップから第４ステップにより、固定具１８によって、ルアー本体１２に対してフック１４が相対的に揺動しないように固定することができるとともに、固定具１８を上記の如く容易且つ迅速に取り付けることができる。
【００８３】
即ち、上記のように固定具１８を構成し、チューブ２６で本体取付環１３とスプリットリング１６とフック取付環１５とを少なくとも覆い、チューブ２６の外側から、本体取付環１３とスプリットリング１６との連結部、及びスプリットリング１６とフック取付環１５との連結部とをリング部材３０で締め付けるようにしたので、ルアー本体１２に対してフック１４が相対的に揺動しないように固定することができる。
【００８４】
したがって、本発明の実施の形態の釣り用仕掛けの固定具１８及びその固定具１８を備えたルアー１０，２０は、従来技術で説明した「糸絡み問題」、「針掛かりしない問題」、「ばらし問題」の全てを解決することができる。特に、糸絡み問題が多く発生する形態において、例えば、本体取付環１３がルアー本体１２の後端部に設けられているとともに、糸接続部２４の位置よりもルアー本体１２の重心Ｇが前側にある場合においては、キャストした時に、重心Ｇがある側が前になって飛んで行くので、釣り糸は空中においてフック１４に近接する。しかしながら、本発明においては、フック１４は固定具１８によって固定され、ぶらぶらしないので、釣り糸と絡まることがない。
【００８５】
ルアー１０，２０のうちでも特に図２に示した翼２２を備えたルアー２０は、翼２２のないルアー１０に比べて実際の魚の動きに近くなり、ルアー本体１２に対してフック１４が一層揺動し易くなるので、「糸絡み問題」、「針掛かりしない問題」、「ばらし問題」が発生し易い。
【００８６】
しかし、本発明の釣り用仕掛けの固定具１８を使用することで、「糸絡み問題」、「針掛かりしない問題」、「ばらし問題」を効果的に防止することができる。
【００８７】
また、固定具１８のチューブ２６に切れ込み２８を形成して、チューブ２６で本体取付環１３とスプリットリング１６とフック取付環１５とを覆い易くするとともに、チューブ２６の外側にリング部材３０を移動自在に嵌装してチューブ軸方向に容易に移動できるようにしたので、固定具１８を容易且つ迅速に取り付けることができる。
【００８８】
また、フック１４を交換するために、固定具１８を取り外す場合には、上記した第１ステップ〜第４ステップを逆に行うことで固定具１８を容易に取り外すことができる。
したがって、本発明の釣り用仕掛けは、フック１４の交換を容易に行うことができ、しかも固定具１８を再使用することができる。
【００８９】
なお、上記した固定具１８の取り付け方法では、最初にチューブ２６をフック１４のフック取付環１５に取り付けたが、最初にチューブ２６をルアー本体１２の本体取付環１３に取り付けてもよい。
【００９０】
また、トリプルフック１４Ｃの場合には、フック１４の姿勢（針先１９の向き）を固定する必要がないので、２個のリング部材３０を備えた固定具１８を用いて行った。
しかし、上記したように、１本針のシングルフック１４Ａである場合、針先１９がルアー本体１２の上側部（ルアー本体では背側）方向、即ち上向きになることが好ましい。
【００９１】
したがって、図８のようにシングルフック１４Ａを使用した場合には、３個のリング部材３０を有する固定具１８の使用することが好ましい。
【００９２】
即ち、上記した図７Ａ〜図７Ｄまではトリプルフック１４Ｃの場合と同様に第１ステップ〜第４ステップによって、本体取付環１３とスプリットリング１６との連結部及びスプリットリング１６とフック取付環１５との連結部を締め付ける。そして、シングルフック１４Ａの場合には、図８に示すように、もう一つのリング部材３０でフック１４の軸１７を締め付けることによって、フック１４の針先１９がルアー本体１２の上側部（ルアー本体の背側）方向に向くように固定する。
【００９３】
これにより、フック１４の針先１９方向を好ましい方向に固定することができる。
ここで、図８の図面視左側のリング部材３０は、図面では、切れ込み２８の手前に位置しているが、切れ込み２８を覆うように配置することが好ましい。これにより、切れ込み２８の部分をリング部材３０で締め付けて固定できるので、切れ込み２８の部分がばらけることがなくなり、かつ、確実に本体取付環１３とスプリットリング１６とをぐらつき無く固定することができる。
【００９４】
なお、本実施の形態では本発明の釣り用仕掛けをルアー１０，２０の例で説明したが、エギ、イカ角、ひとつテンヤ、鯛カブラ等にも適用できる。
【符号の説明】
【００９５】
１０、２０…ルアー（釣り用仕掛け）、１２…ルアー本体（仕掛け本体）、１３…本体取付環、１４…フック、１４Ａ…シングルフック、１４Ｂ…ダブルフック、１４Ｃ…トリプルフック、１５…フック取付環、１６…スプリットリング、１７…軸、１８…固定具、１９…針先、２２…翼、２４，２４Ａ…糸接続部、２６…チューブ、２８…切れ込み、３０…リング部材
【要約】
【課題】固定具によって、ルアー本体に対してフックが相対的に揺動しないように固定することができ、且つ固定具を容易且つ迅速に取り付けることができ、しかも固定具を再使用することができる。
【解決手段】ルアー本体１２に対するフック１４の相対的な揺動を固定する釣り用仕掛けの固定具１８であって、固定具１８は、本体取付環１３とスプリットリング１６とフック取付環１５とを少なくとも覆う1本のゴム性のチューブ２６と、チューブ２６の一方端側からチューブ軸方向の途中まで形成された少なくとも１本の切れ込み２８と、チューブ２６の外側にチューブの長手方向に移動自在に嵌装され、本体取付環１３とスプリットリング１６との連結部及びスプリットリング１６とフック取付環１５との連結部を締め付ける少なくとも２個のゴム性のリング部材３０と、を備えた。
【選択図】図３【図１】
0005818190.tif 000002
【図２】
0005818190.tif 000003
【図３】
0005818190.tif 000004
【図４】
0005818190.tif 000005
【図５】
0005818190.tif 000006
【図６】
0005818190.tif 000007
【図７Ａ】
0005818190.tif 000008
【図７Ｂ】
0005818190.tif 000009
【図７Ｃ】
0005818190.tif 000010
【図７Ｄ】
0005818190.tif 000011
【図８】
0005818190.tif 000012